(57)【要約】【課題】大半の仮想コミュニティーへの参加は親睦、交流などの目的のために、一対一又は一対多数のような双方対話を通じて少数の会員のみ、参加できる集まりは結成できるが、仮想コミュニティー全ての会員が参加できる集まり結成は今のソーシャルネットワーキングサービスではできないのが現状である。【解決手段】仮想又は実際のコミュニティー上での集会スケジュールリングを自動的に実現することができる仮想又は実際のコミュニティースケジューラーシステムおよび仮想又は実際のコミュニティー上でのスケジュールリング方法の実施【選択図】図１
2014146304.tif 000002
【特許請求の範囲】
【請求項１】
ＳＮＳ（ソーシャル  ネットワーキング  サービス）サイトに開設される複数の仮想又は実際のコミュニティーを区別して、上記仮想又は実際のコミュニティーごとに会員加入した仮想又は実際のコミュニティーの会員情報を管理、保存する会員情報管理サーバー；および上記仮想又は実際のコミュニティーの会員情報に基づいて上記仮想又は実際のコミュニティー別会員にソーシャル  ネットワーキング  サービスを提供するＳＮＳサーバー；を含むものの、上記ＳＮＳサーバーは、上記仮想又は実際のコミュニティーの会員情報に基づいて各会員ごとに必須出席グループ、選択出席グループと無関係出席グループの中、どれか一つで登録する出席グループ  データベースと、上記必須出席グループ、選択出席グループおよび無関係出席グループの順序で優先順位を付与して、上記優先順位にともなう各出席グループごとに会員数がみたされるかを判断してみたされる場合に限って、上記仮想又は実際のコミュニティーの会員に公示した複数の集会の日程情報に対応して最も多く選択された集会日時を決めるスケジューラーサーバーを含むのを特徴とする仮想又は実際のコミュニティー  スケジューラーシステム。
【請求項２】
第１項において、上記出席グループ  データベースは、上記仮想又は実際のコミュニティーの会員の中、主催者、主管者、議決者が必須出席グループに登録される場合、上記スケジューラーサーバーは、上記必須出席グループに含まれた主催者、主管者、議決者の会員の数が設定された数値の範囲の中にあるかを判断して会員数の充足の有無を確認する第１スケジュールリング  モジュールを含むのを特徴とする上記仮想又は実際のコミュニティー  スケジューラーシステム。
【請求項３】
第２項において、上記出席グループ  データベースは、上記仮想又は実際のコミュニティーの会員の中、主催者、主管者、議決者および定足数が選択出席グループに登録される場合、上記スケジューラーサーバーは、上記選択出席グループに含まれた主催者、主管者、議決者、定足数の会員数が各設定された数値の範囲の中にあるかを判断して会員数の充足の有無を確認する第２スケジュールリング  モジュールをさらに含むのを特徴とする上記  仮想又は実際のコミュニティースケジューラーシステム。
【請求項４】
第３項において、上記出席グループ  データベースは、上記仮想又は実際のコミュニティーの会員の中、主催者、主管者、議決者、定足数およびオプション者が無関係出席グループに登録される場合、上記スケジューラーサーバーは、上記無関係出席グループに含まれた主催者、主管者、議決者、定足数およびオプション者の会員の数が設定された数値範囲の中にあるかを判断して会員数の充足の有無を確認する第３スケジュールリング  モジュールをさらに含むのを特徴とする上記仮想又は実際のコミュニティースケジューラーシステム。
【請求項５】
第２項又は第４項中、どちらか一つの項において、上記スケジューラーサーバーは、任意の上記仮想又は実際のコミュニティーの主管者要請によって発生した複数の集い日程の情報を受取って上記集会の日程を上記仮想又は実際のコミュニティーの会員に伝達して、上記伝達にに対応して上記仮想又は実際のコミュニティーの会員から各選択された集会日時を集合する、集会日時集合モジュール；および上記集会日程集合モジュールで集合して生成した集会日時情報の中、最も多く選択された集会日時情報を上記数値の範囲の肯定判断に反映した後、集い決定の有無を仮想又は実際のコミュニティーのすべての会員に伝達する集会日時決定モジュールをさらに含むのを特徴とする上記仮想又は実際のコミュニティースケジューラーシステム。
【請求項６】
（ａ）任意の仮想又は実際のコミュニティーに加入した会員の中、主管者が集会の趣旨、集会場所および複数の集会日と時間を選択して生成された集会の日程情報をＳＮＳサーバーへ送信する段階；
（ｂ）ＳＮＳサーバーで受信した集会の日程情報を上記仮想又は実際のコミュニティーの全ての会員たちがそれぞれ持っているスケジューラー端末または、各種機器へ伝達する段階；
（ｃ）上記集会日程情報に対応して上記仮想又は実際のコミュニティーのすべての会員たちによって選択された参加の有無と集会日時情報をＳＮＳサーバーで受信する段階；
（ｄ）上記参加の有無情報に基づいて優先順位により定義された各出席グループごとに会員数がみたされるかをＳＮＳサーバーで判断する段階；および
（ｅ）上記（ｄ）段階の充足の判断後、肯定の場合上記集会日時情報の中、参加対象の会員が送った第１集会日時情報に基づいて最も多く選択された集会日時を抽出してＳＮＳサーバーから集い日程を決める段階；を含むのを特徴とする仮想又は実際のコミュニティーでのスケジュールリング方法．
【請求項７】
第６項において、
（ｆ）ＳＮＳサーバーで抽出された集会日時を上記主管者のスケジューラー端末または各種機器へ通知する段階；
（ｇ）スケジューラー端末または、各種機器で確認された集会日時に基づいて集会の情報を主管者によって生成された後、ＳＮＳサーバーへ送信する段階；および
（ｈ）ＳＮＳサーバーで受信した集会の情報を出席対象者のスケジューラー端末を含むすべての会員のスケジューラー端末へ伝達する段階；をさらに含むのを特徴とする上記仮想又は実際のコミュニティーでのスケジュールリング方法．
【請求項８】
第６項において、
（ｉ）ＳＮＳサーバーで抽出された集会日時に基づいて集い情報を生成後、上記会情報を上記主管者のスケジューラー端末を含むすべての会員のスケジューラー端末へ通知する段階；をさらに含むのを特徴とする上記仮想又は実際のコミュニティーでのスケジュールリング方法。
【請求項９】
第６項において、
上記集会日程情報は、集会の趣旨、集会場所および複数の集会日と時間情報を含むのを特徴とする上記仮想又は実際のコミュニティーでのスケジュールリング方法。
【発明の詳細な説明】
【技術分野】
【０００１】本発明は仮想又は実際のコミュニティースケジューラーシステム及び仮想又は実際のコミュニティー上のスケジューリング方法に関するもので、詳しくは仮想又は実際のコミュニティー上の集会スケジューリングを自動的に実現できる仮想又は実際のコミュニティースケジューラーシステム及び仮想又は実際コミュニティー上のスケジューリング方法に関するものである。
【背景技術】
【０００２】最近、限定された友達のコミュニケーションの場所又は共通の話題を持つ人々をお互い知り合う場所をインターネット上で提供しているコミュニティー形のウェブページが多く構築されている。このような場所を提供するサービスはソーシャルネットワーキングサービス（Ｓｏｃｉａｌ  Ｎｅｔｗｏｒｋｉｎｇ  Ｓｅｒｖｉｃｅ）と呼ばれて近年、急速に成長している。【０００３】ここで、ソーシャルネットワーキングサービス（以下‘ＳＮＳ’と称する）の概要について説明すると、ＳＮＳを提供するウェブサイト（以下‘ＳＮＳサイト’と称する）は掲示板、日記など多様な情報を双方向にリアルタイムで交流できるのが特徴である。【０００４】一般の掲示板又は日記風のウェブブログ（ｗｅｂｌｏｇ）は匿名の重傷コメントが書かれる場合が多くあり、問題になっているが、それに対して多数のＳＮＳサイトでは既存会員の紹介がないと参加できないシステムの投入と原則お互いのお名前、職務などを公開して責任を持つ立場として意見交換・交流を行う形態に発展している。【０００５】そのため、ＳＮＳサイトでは匿名の悪意をもつコメントの入力を防止できるため安心して利用ができる。このようなＳＮＳサイトに開設されたコミュニティー（以下、‘仮想コミュニティー’と称する）への参加方法は既存会員からの紹介・招待がないと登録できないＣｌｏｓｅタイプと自由に登録できるＯｐｅｎタイプがある。両方とも仮想コミュニティーに参加するには参加希望の申請と仮想コミュニティーからの承認が必要である。【０００６】その反面、大半の仮想コミュニティーへの参加は親睦、交流などの目的のために、一対一又は一対多数のような双方対話を通じて少数の会員のみ、参加できる集まりは結成できるが、仮想コミュニティー全ての会員が参加できる集まり結成は今のソーシャルネットワーキングサービスではできないのが現状である。【０００７】また、一般オフラインの集会でも、実際の集会を主管する総務及び幹事役割の場合、大半の個人スケジュールに関する情報を事前に把握できないため、一々電話又はメール、ＳＭＳなどの形態で状況確認を行い、参加の可否、参加可能時間帯を確認過程を経て作成しなければならない負担が少なくない。
【先行技術文献】
【０００８】
【特許文献】
【特許文献１】大韓民国  特許公開番号  第２０１１−００７７３１３号
【発明の概要】
【発明が解決しようとする課題】
【０００９】本発明は前述のように従来の問題点を解決するために案出したもので本発明の目的はＳＮＳサイトに開設された仮想又は実際のコミュニティー上の集会結成をより便利にするため、優先順位と次順位を含む決められたスケジューリングアルゴリズムにより自動的に処理することで新しい形態の仮想又は実際のコミュニティーを実現可能な仮想又は実際のコミュニティースケジューラーシステム及び仮想又は実際のコミュニティー上のスケジューリング方法の提供である。
【課題を解決するための手段】
【００１０】上記のような本発明の目的を達成して、後述の本発明の特徴的な機能を遂行するための本発明の特徴は次のとおりである。【００１１】本発明の観点にともなう、ＳＮＳ（ソーシャルネットワーキングサービス）サイトへ開設された複数の仮想又は実際コミュニティーを区別して上記仮想又は実際コミュニティーごとに会員加入された仮想又は実際のコミュニティー会員情報を管理、保存する会員情報管理サーバー；及び上記仮想又は実際コミュニティー会員情報に基づいて上記仮想又は実際コミュニティー別会員にソーシャルネットワークサービスを提供するＳＮＳサーバー；を含むが、上記ＳＮＳサーバーは上記仮想又は実際コミュニティーの会員情報に基づいて各会員ごとに必須出席グループ、選択出席グループと無関係出席グループの中、いずれ一つ登録する出席グループデータベースと上記必須出席グループ、選択出席グループ及び無関係出席グループの順位で優先順位を付与して、上記優先順位による各出席グループごとに会員の数が充足かを判断して充足の場合に限って上記仮想又は実際のコミュニティーの会員に告知した複数の集会日程情報に対応して、より多く選択された集会日時を決定するスケジューラーサーバーを含む仮想又は実際のコミュニティースケジューラーシステムを提供する。【００１２】ここで、本発明の観点にともなう上記出席グループ  データベースは、上記仮想又は実際のコミュニティーの会員の中、主催者、主管者、議決者を必須出席グループに登録される場合、上記スケジューラーサーバーは、上記必須出席グループに含まれた主催者、主管者、議決者の会員数が設定された数値の範囲の中にあるかを判断して会員数の充足の有無を確認する第１スケジュールリング  モジュールを含むことができる。【００１３】また、本発明の観点にともなう上記出席グループ  データベースは、上記仮想又は実際のコミュニティーの会員の中、主催者、主管者、議決者および定足数を選択出席グループに登録される場合、上記スケジューラーサーバーは、上記選択出席グループに含まれた主催者、主管者、議決者、定足数の会員数が設定された数値の範囲の中にあるかを判断して会員数の充足の有無を確認する第２スケジュールリングモジュールをさらに含むことができる。【００１４】また、本発明の観点にともなう上記出席グループ  データベースは、上記仮想又は実際のコミュニティーの会員の中、主催者、主管者、議決者、定足数およびオプション者を無関係出席グループに登録される場合、上記スケジューラーサーバーは、上記無関係出席グループに含まれた主催者、主管者、議決者、定足数およびオプション者の会員数が設定された数値範囲の中にあるかを判断して会員数の充足の有無を確認する第３スケジュールリングモジュールをさらに含むことができる。【００１５】また、本発明の観点にともなう上記スケジューラーサーバーは、任意の上記仮想又は実際のコミュニティーの主管者要請によって発生した複数の集会日程の情報を受取って、上記集会日程を上記仮想又は実際のコミュニティーの会員に伝達して、上記伝達に対応して上記仮想又は実際のコミュニティーの会員から各選択された集会日時を集合する集会日時集合モジュール；および上記集会日時集合モ���ュールで集合して生成した集会日時情報の中、最も多く選択された集会日時情報を上記数値範囲の肯定判断に反映した後、集会の決定を上記仮想又は実際のコミュニティーのすべての会員に伝達する集会日時決定モジュールをさらに含むことができる。【００１６】また、本発明の他の観点にともなう、（ａ）任意の仮想又は実際のコミュニティーに加入した会員の中、主管者が集会の趣旨、集会場所および複数の集会日と時間を選択して生成された集会日程情報をＳＮＳサーバーへ送信する段階；（ｂ）ＳＮＳサーバーで受信した集会日程情報を上記仮想又は実際のコミュニティーのすべての会員たちがそれぞれ持っているスケジューラー端末または、各種機器へ伝達する段階；（ｃ）上記集会日程情報に対応して上記仮想又は実際のコミュニティーのすべての会員たちによって選択された参加の可否と集会日時情報をＳＮＳサーバーで受信する段階；（ｄ）上記参加の可否情報に基づいて優先順位により定義された各出席グループごとに会員数がみたされるかをＳＮＳサーバーで判断する段階；および（ｅ）上記（ｄ）段階の充足判断後、肯定の場合上記集会日時情報の中、参加対象の会員が送った第１集会日時情報に最も多く選択された集会日時を抽出してＳＮＳサーバーで集会日程を決める段階；を含む仮想又は実際のコミュニティー上のスケジュールリング方法が提供される。【００１７】ここで、本発明の他の観点にともなう仮想又は実際のコミュニティー上でのスケジュールリング方法は（ｆ）ＳＮＳサーバーから抽出された集会日時を上記主管者のスケジューラー端末へ通知する段階；スケジューラー端末から確認された集会日時に基づいて集会情報を主管者によって生成された後、ＳＮＳサーバーへ送信する段階；および（ｈ）ＳＮＳサーバーから受信した集会情報を出席対象者のスケジューラー端末を含むすべての会員スケジューラー端末へ伝達する段階；をさらに含むことができる。【００１８】また、本発明の他の観点にともなう仮想又は実際のコミュニティー上でのスケジュールリング方法は（ｉ）ＳＮＳサーバーで抽出された集会日時に基づいて集会情報を生成後、上記集会情報を上記主管者のスケジューラー端末を含むすべての会員スケジューラー端末へ通知する段階；をさらに含むことができる。【００１９】また、本発明の他の観点にともなう上記集会日程情報は、集会の趣旨、集会場所および複数の集会日と時間情報を含むことができる。
【発明の効果】
【００２０】本発明によれば、双方向コミュニケーションが行う仮想又は実際のコミュニティーごとに集会を容易に公示して、すべての会員たちの意志をリアルタイムで反映しながら迅速な集会決定が行えるように決められたスケジュールリング  アルゴリズムにより処理されることによって、既存の単純なコミュニケーション形式の仮想又は実際のコミュニティー環境を脱離した新しい形態の仮想又は実際のコミュニティーの集会環境が造成される効果がある。【００２１】本発明によれば、自身のスケジュールによって、双方ネットワークで自身とつながっている他の会員のスケジュールに自動的に登録され、他の会員のスケジュールに影響を与えて、他の会員のスケジュールの変化が自身のスケジュールにも影響を与えることでより迅速な対応が可能になり、仮想又は実際コミュニティー上の最適な集会結成が素早く決められる効果がある。【００２２】これによって、新しい形態のソーシャルネットワーキングサービスが可能になり、開始者として利益の創出が期待される。さらに集会結成のためにソーシャルネットワーキングサービスへの広告・イベントなどを追加して利益を極大化することもできる。
【図面の簡単な説明】
【００２３】
【図１】本発明の第１実施例にともなう仮想又は実際コミュニティー  スケジューラーシステム（１０００）を例示的に示した構成図だ。
【図２】本発明の第１実施例にともなうＳＮＳサーバー（１２０）を例示的により詳しく示した構成図だ。
【図３】本発明の第２実施例にともなう仮想又は実際コミュニティーでのスケジュールリング方法（Ｓ２００）を例示的に示した図面だ。
【図４】本発明の第３実施例にともなう仮想又は実際コミュニティーでのスケジュールリング方法（Ｓ３００）を例示的に示した図面だ。
【発明を実施するための形態】
【００２４】以下、本発明が属する技術分野で通常の知識を持つ者が本発明を容易に実施することができるように、本発明の望ましい実施例に関して添付された図面を参照して詳細を説明する。図面で類似の参照符号は色々な観点から同一又は類似の機能を指示す。
【実施例】
【００２５】第１実施例【００２６】図１は本発明の第１実施例にともなう仮想又は実際コミュニティースケジューラーシステム（１０００）を例示的に示した構成図だ。【００２７】図１に図示された通り、本発明の第１実施例にともなう仮想又は実際コミュニティースケジューラーシステム（１０００）はＳＮＳスケジュールリング  サーバー（１００）、複数のスケジューラー端末郡（２００，３００）を含む。【００２８】まず、本発明にともなうＳＮＳスケジュールリング  サーバー（１００）はＳＮＳサイトを複数のスケジューラー端末郡（２００）で開設されるようにＳＮＳサイト（１３０）を管理して、ＳＮＳサイト（１３０）に開設された複数の仮想又は実際コミュニティー（１３１，１３１ａ、１３１ｂ）を管理し、各仮想又は実際コミュニティー（１３１）ごとに会員を管理（例：会員登録、修正、削除などを管理）という役割をする。【００２９】特に、ＳＮＳスケジュールリング  サーバー（１００）は通常的に広く知られたソーシャルネットワーキング  サービスを実施するだけでなく各コミュニティーごとに登録された会員を対象に集会スケジュールリング  アルゴリズムを適用して集会結成（決定）のための新しい形態のソーシャル  ネットワーキング  サービスを提供する。【００３０】そのために、本発明のＳＮＳスケジュールリング  サーバー（１００）は会員情報データベース（会員情報ＤＢ，１１０）、ＳＮＳサーバー（１２０）を含む。上記会員情報データベース（１１０）はＳＮＳ（ソーシャル  ネットワーキング  サービス）サイト（１３０）に開設される複数の仮想又は実際コミュニティー（１３１）を区別して、仮想又は実際コミュニティーごとに加入された仮想又は実際コミュニティー（１３１）の会員情報を管理、保存する役割をする。【００３１】反面、上記ＳＮＳサーバー（１２０）は会員情報データベース（１１０）と連動して、会員情報データベース（１１０）に保存された仮想又は実際コミュニティー（１３１）の会員情報に基づいて実質的に仮想又は実際コミュニティー別、会員にソーシャル  ネットワーキングサービスを提供するということと同時に、集会結成を新しい形態のスケジュールリング技法を適用して実施するための役割をする。【００３２】集会結成のためのスケジュールリング技法を実施するための具体的な方案として、本発明のＳＮＳサーバー（１２０）は出席グループ  データベース（出席グループＤＢ，１２１）とスケジューラーサーバー（１２２）をさらに含むことができる。上記出席グループ  データベース（１２１）は会員情報データベース（１１０）に保存された仮想又は実際のコミュニティー（１３１）の会員情報に基づいて各会員ごとに必須出席グループ、選択出席グループと無関係出席グループの中、どれか一つに登録する機能を遂行する。【００３３】例えば、ＳＮＳサイト（１３０）に開設された第１仮想又は実際のコミュニティーの会員と登録された人々を主管者、主催者、一般会員で区分して登録する場合、上記第１仮想又は実際のコミュニティーの会員の中、実質的に第１仮想又は実際のコミュニティーの開設者である主管者（上記主管者には多数の会員たちが含まれるし、これらは幹事、総務のような名称を使う）���出席グループに登録されることができる【００３４】その他にも出席グループ内には第１仮想又は実際のコミュニティーに加入した会員の中、会長格である主催者（１人）と集会の議決に必要な数人の議決数をさらに含むことができる。上記議決数は全体定足数中、何人いるかによって決まる。例えば、第１仮想又は実際のコミュニティーの１０００人定足数の中、必須的に集会に参加しなければならない人員が３００人だと仮定すれば６００人が議決数になるだろう。このような議決数の把握は後ほど説明されるスケジュールリング  アルゴリズムによって取得した集会参加を決めた会員の数を把握することによって、決定されることができる。【００３５】このように、主管者、主催者、議決数を含んだ出席グループの登録は第１仮想又は実際のコミュニティーのすべての会員たちに公示されて、彼らから集会決定意思を受けた場合、必須的に集会に参加しなければならない対象者である場合を登録する条件とする。【００３６】反面、選択出席グループは集会承諾が必ず必要とする対象者ではないが、参加すれば良い対象者を追加させるグループとして、例えば、選択出席グループ内には主管者、主催者、議決数に加えて定足数の条件をさらに含む。上記定足数というのは第１仮想又は実際のコミュニティーの会員の中、必須的に集会承諾が行えるための最小限の対象者数を意味することとして、例えば、１０００人の会員の中、集会承諾を必要とする最小人員を７０％で仮定するならば、７００人（７０％）がその基準になる。【００３７】また他の例として、無関係出席グループは実際、集会に参加するかしないかは全く重要ではなくて、自分の意思により出席が許可される対象者をさらに追加するのを意味することで、例えば、無関係出席グループ内には主管者、主催者、議決数、定足数に加えてオプション者の条件をさらに含むことができる。【００３８】上記オプション者に該当する会員は結局、集会に出席をするかしないかそんなに重要ではない対象者であるから非常にわずかな数値であろう。ここで、議決数、定足数の条件は第１仮想又は実際のコミュニティーの実質的な運営者である主催者の決定により設定値が変わる。【００３９】このように、本発明の出席グループ  データベース（１２１）には各仮想又は実際のコミュニティーごとに会員と登録された対象者を出席グループ内の対象者で分類して登録させる。この時、出席グループはスケジューラーサーバー（１２２）の優先順位アルゴリズムに活用される。【００４０】すなわち、本発明のスケジューらーサーバー（１２２）は出席グループ  データベース（１２１）に登録された必須出席グループ、選択出席グループおよび無関係出席グループの順序で優先順位を付与して、優先順位にともなう各出席グループごとに会員数がみたされるかを判断してみたされた場合に限って、仮想又は実際のコミュニティー（１３１）の会員に公示した複数の集会日程情報に対応して最も多く選択されて、重要度レベル別参席者が多い順の整列過程を通じて、集会日時を決める役割をする。【００４１】例えば、主催者が複数の集会日、趣旨、目的、場所などを含む集会日程情報をすべての第１仮想又は実際のコミュニティーの会員たちに公示した後、集会を承諾���た会員の各主体が主管者と主催者、議決者の議決数が定義された必須出席グループの会員数に符合するかを検証してみたされる場合、次の選択出席グループの会員数に符合するかを検証して、これもまた充足する場合、次の無関係出席グループの会員数に符合するかを順に検証することになる。検証結果により各会員のレベル別参加程度と最も高い頻度に選択された集会日時を確認することによって集会日時が決定されるだろう。【００４２】もし、必須の参加グループである必須出席グループ内の会員数を満たされてない場合には集会自体が取消になる。【００４３】このように、スケジューラーサーバー（１２２）はＳＮＳサイトに開設された各仮想又は実際のコミュニティーごとに集会を迅速な決定のために、各会員に集会日程を公示して、各会員の意思をスケジュールリング  アルゴリズムを通じて確認することによって、新しい形態のソーシャル  ネットワーキング  サービスが期待されることができる。【００４４】最後に、本発明の複数のスケジューラー端末郡（２００，３００）はＳＮＳサイトをダウンロードして各仮想又は実際のコミュニティーの会員として登録設定または、会員登録取消などを実行して、集会日程を通知受ければそれに答えて自身の集会意思決定を遂行する端末として、第１仮想又は実際のコミュニティーに加入した複数の第１郡スケジューラー端末（２００）と第Ｎ仮想又は実際のコミュニティーに加入した複数の第２郡スケジューラー端末（３００）を含む。【００４５】仮想又は実際のコミュニティー別、各スケジューラー端末（２００，３００）は有／無線通信網を通じて、ＳＮＳスケジュールリング  サーバー（１００）と連結されて自身が属した仮想又は実際のコミュニティーで望むデータを送受信できる。ここで、例えば第１郡スケジューラー端末（２００，３００）に含まれた各スケジューラー端末（２１０，２２０，２３０）はＰＣ、移動端末またはタブレットＰＣの中、どれか一つの端末形態である。【００４６】例えば、有線通信網である場合、第１スケジューラー端末（２１０）はＰＣ（２１１）である。そして、無線通信網である場合、第１スケジューラー端末（２１０）は移動端末（２１２，例：スマートフォン、３Ｇ端末、４Ｇ端末など）またはタブレット端末（２１３）中、どれか一つである。【００４７】同じく、第２郡スケジューラー端末（３００）も第１郡スケジューラー端末（２００）と同一で、第２郡スケジューラー端末（３００）に含まれた各スケジューラー端末（３１０，３２０，３３０）も同一だろう。以下ではＳＮＳサーバー（１２０）に関してより具体的に説明する。【００４８】ＳＮＳサーバーの例【００４９】図２は本発明の第１実施例にともなうＳＮＳサーバー（１２０）を例示的により詳細に示した構成図だ。【００５０】図２に図示された通り、本発明の第１実施例にともなうＳＮＳサーバー（１２０）は上記の図１で説明したように出席グループ  データベース（１２１）、スケジューラーサーバー（１２２）を含んで、上記スケジューラーサーバー（１２２）は第１スケジューラーモジュール（１２２ａ）、第２スケジューラーモジュール（１２２ｂ）、第３スケジューラーモジュール（１２２ｃ）、集会日時集合モジュール（１２２ｄ）、集会日時決定モジュール（１２２ｅ）、および制御モジュール（１２２ｆ）を含む。【００５１】各構成を見るとまず、本発明の第１スケジューラーモジュール（１２２ａ）は出席グループ  データベース（１２１）が仮想又は実際のコミュニティー（１３１）の会員の中、主催者、主管者、議決者を必須出席グループで登録する場合、上記必須出席グループに含まれた主催者、主管者、議決者の会員の数が設定された数値の範囲の中にあるかを判断して会員数の充足の有無を確認する役割を遂行する。【００５２】例えば、集会を決めた会員と会員の意思決定（例、承諾の有無、集会日など）の情報を受取って、必須出席グループ内の会員数の充足要件が合うかを確認する形態で行われる。【００５３】次に、本発明の第２スケジューラーモジュール（１２２ｂ）は第１スケジューラーモジュール（１２２ａ）の結果に満足する場合に限って実行されるモジュールとして、出席グループ  データベース（１２１）が仮想又は実際のコミュニティー（１３１）の会員の中、主催者、主管者、議決者および定足数を選択出席グループで登録する場合、上記選択出席グループに含まれた主催者、主管者、議決者、定足数の会員数が各、設定された数値の範囲内かを判断して会員数の充足の有無を確認する役割を遂行する。【００５４】例えば、集会を決めた会員と会員の意思決定（例、承諾の有無、集会日など）の情報を受取って、選択出席グループ内の会員数の充足要件が合うかを確認する形態で行われる。【００５５】次に、本発明の第３スケジューラーモジュール（１２２ｃ）は第２スケジューラーモジュール（１２２ｂ）の結果に満足する場合に限って実行されるモジュールとして、出席グループ  データベース（１２１）が仮想又は実際のコミュニティー（１３１）の会員の中、主催者、主管者、議決者、定足数およびオプション者を無関係出席グループで登録する場合、上記無関係出席グループに含まれた主催者、主管者、議決者、定足数およびオプション者の会員数が設定された数値の範囲内かを判断して会員数の充足の有無を確認する役割を遂行する。【００５６】例えば、集会を決めた会員と会員の意思決定（例、承諾の有無、集会日など）の情報を受取って、選択出席グループ内の会員数の充足要件が合うかを確認する形態で行われる。【００５７】次に、本発明の集会の日時決定モジュール（１２２ｄ）は仮想又は実際のコミュニティー（１３１）の主管者要請によって発生した複数の集会日程の情報を受取って、上記集会日程を仮想又は実際のコミュニティー（１３１）の各会員に伝達し、伝達に対応して仮想又は実際のコミュニティーの会員（実質的にスケジューラー端末）から各選択された集会日時を集合する役割を遂行する。このような集会日時決定モジュール（１２２ｄ）は前述のように各スケジューラーモジュール（１２２ａ、１２２ｂ、１２２ｃ）の基礎資料で提供されることができる。【００５８】反面、本発明の集会日時決定モジュール（１２２ｅ）は集会日時集合モジュール（１２２ｄ）で集合して生成した集会日時情報の中、最も多く選択された集会日時情報を各スケジューラーモジュール（１２２ａ、１２２ｂ、１２２ｃ）で判断に反映した後集会を決める役割をする。その決定された結果は仮想又は実際のコミュニティー（１３１）のすべての会員に伝達する。【００５９】最後に、本発明の制御モジュール（１２２ｆ）は出席グループ  データベース（１２１），第１スケジューラーモジュール（１２２ａ），第２スケジューラーモジュール（１２２ｂ），第３スケジューラーモジュール（１２２ｃ），集会の日程集合モジュール（１２２ｄ）および集会日程決定モジュール（１２２ｅ）間のデータの流れを制御する役割をする。【００６０】これに伴い、本実施例では各仮想又は実際のコミュニティー上から集会決定のために多様な会員の意思を直ちに確認して集会を決定できて、新しい形態のソーシャル  ネットワーキング  サービスが期待される。【００６１】第２実施例【００６２】図３は本発明の第２実施例にともなう仮想又は実際のコミュニティーでのスケジュールリング方法（Ｓ２００）を例示的に示した図面だ。【００６３】図３に図示された通り、本発明の第２実施例にともなう仮想又は実際のコミュニティーでのスケジュールリング方法（Ｓ２００）は集会日程情報をＳＮＳサーバー（１２０）に送信する段階（Ｓ２１０）、集会の日程情報をスケジューラー端末（２００，３００）へ伝達する段階（Ｓ２２０）、集会の日程情報に対応してすべての会員たちによって選択された参加の有無（承諾の有無）と集会の日時情報をＳＮＳサーバー（１２０）で受信する段階（Ｓ２３０），参加の有無情報に基づいて各出席グループごとに会員数がみたされるかをＳＮＳサーバー（１２０）で判断する段階（Ｓ２４０），および肯定の場合参加の有無情報に基づいて最も多く選択された参加日時を抽出してＳＮＳサーバー（１２０）から集会の日程を決める段階（Ｓ２５０）を含む。【００６４】まず、本発明のＳ２１０段階では任意の仮想又は実際のコミュニティー（３１０）に加入した会員の中、主管者が集会の趣旨、集会の場所および複数の集会日は時間を選択して生成された集会日程情報をＳＮＳサーバーに送信する。この時、主管者は例えば第１仮想又は実際のコミュニティーを実質的に調整、掌握する会員として、集会を公示して、公示関連の返事を受付けて、集会の決定に関与することもできる。【００６５】その後、本発明のＳ２２０段階ではＳＮＳサーバー（１２０）で受信した集会日程情報を仮想又は実際のコミュニティーのすべての会員たちがそれぞれ持っているスケジューラー端末（２００，３００）へ伝達する。その後、本発明のＳ２３０段階では集会日程情報を確認したスケジューラー端末（２００，３００）から集会日程情報に対応して発生した参加の有無と集会日時情報をＳＮＳサーバー（１２０）で受信する。この時、受信した参加の有無と集会日時情報は仮想又は実際のコミュニティーのすべての会員たちによって選択された意思決定内容を含んでいる。【００６６】その後、本発明のＳ２４０段階では上記Ｓ２３０段階の参加の有無情報に基づいて優先順位により定義された各出席グループごとに会員数が充足しているかＳＮＳサーバー（１２０）で判断する。この時、各出席グループは必須出席グループ、選択出席グループおよび無関係出席グループを含んで、各グループと判断アルゴリズムは前述の図１および図２で十分に説明されたのでここでは省略することにする。【００６７】最後に、本発明のＳ２５０段階では上記Ｓ２４０段階での充足判断後、肯定の場合、集会日時情報の中、参加対象の会員が送った第１集会日時情報に基づいて最も多く選択された集会日時を抽出することによってＳＮＳサーバー（１２０）で集会の日程を決める。【００６８】また、本発明の第２実施例にともなう仮想又は実際のコミュニティーでのスケジュールリング方法（Ｓ２００）はＳＮＳサーバー（１２０）で抽出された集会日時を主管者のスケジューラー端末（２００，３００）へ通知する段階（Ｓ２６０），スケジューラー端末（２００，３００）で確認された集会日時に基づいて集会情報を主管者によって生成された後、ＳＮＳサーバー（１２０）へ送信する段階（Ｓ２７０），および上記ＳＮＳサーバー（１２０）で受信した集会情報を出席対象者のスケジューラー端末を含んだすべての会員のスケジューラー端末（２００，３００）へ伝達する段階（Ｓ２８０）をさらに含んで実施することもできる。【００６９】第３実施例【００７０】図４は本発明の第３実施例にともなう仮想又は実際のコミュニティーでのスケジュールリング方法（Ｓ３００）を例示的に示した図面だ。【００７１】図４に図示された通り、本発明の第３実施例にともなう仮想又は実際のコミュニティーでのスケジュールリング方法（Ｓ３００）は集会の日程情報をＳＮＳサーバー（１２０）へ送信する段階（Ｓ３１０）、集会の日程情報をスケジューラー端末（２００，３００）または、各種機器へ伝達する段階（Ｓ３２０）、集会の日程情報に対応して、すべての会員たちによって選択された参加の有無（承諾の有無）と集会日時情報をＳＮＳサーバー（１２０）で受信する段階（Ｓ３３０）、参加の有無情報に基づいて各出席グループごとに会員数がみたされるかをＳＮＳサーバー（１２０）で判断する段階（Ｓ３４０）、および肯定の場合参加の有無情報に基づいて最も多く選択された参加日時を抽出してＳＮＳサーバー（１２０）から集会の日程を決める段階（Ｓ３５０）、およびＳＮＳサーバー（１２０）で抽出された集会日時に基づいて集会情報を生成後、上記集会情報を主管者のスケジューラー端末を含む、すべての会員のスケジューラー端末（２００３００）へ通知する段階（Ｓ３６０）を含んで行われる。【００７２】ここで、Ｓ３６０の段階を除いた残りの段階は前述の図３の該当段階と同一なのでその説明を省略する。反面、本発明の最後の段階であるＳ３６０段階では図３のＳ２６０、Ｓ２７０およびＳ２８０段階とは違い、ＳＮＳサーバー（１２０）から集会情報を自動生成して、その結果をすべてのスケジューラー端末（２００，３００）へ自動的に通知する。これは主管者によって集会情報の生成過程を減らすことによって、ＳＮＳサーバー（１２０）から集会情報の生成決定を自動的に遂行してその結果を全てのスケジューラー端末（２００，３００）に送ることに大きな意義がある。【００７３】このように、本発明の第２実施例または、第３実施例にともなう方法は仮想又は実際コミュティー上で主管者の集会公示から始めて仮想又は実際のコミュニティーのすべての構成員から収集された意思決定を優先順位により判断して、その結果を主管者を含む、すべての会員たちに迅速に決定内容を知らせることによって、既存のソーシャル  ネットワーキング  サービスで見られない新しい形態の集会プロセスを提供する長所がある。【００７４】以上、添付された図面を参照して本発明の実施例を説明したが、本発明が属する技術分野で通常の知識を持つ者は本発明の技術的思想又は必須の特徴を変更しないで、他の具体的な形態で実施することができるのを理解できるはずだ。したがって以上で記述した実施例はすべての面に例示的なものであり限定的ではない。
【符号の説明】
【００７５】１００：ＳＮＳスケジューリングサーバー
１１０：会員情報データベース
１２０：スケジューラーサーバー
１２１：出席グループデータベース
１２２：スケジューラーサーバー
１３０：ＳＮＳサイト
１３１：仮想又は実際のコミュニティー
２００，３００：スケジューラー端末
１２２ａ：第１スケジューラーモジュール
１２２ｂ：第２スケジューラーモジュール
１２２ｃ：第３スケジューラーモジュール
１２２ｄ：集会日時集合モジュール
１２２ｅ：集会日時決定モジュール
１２２ｆ：制御モジュール
【図１】
2014146304.tif 000003
【図２】
2014146304.tif 000004
【図３】
2014146304.tif 000005
【図４】
2014146304.tif 000006